(57)【要約】【課題】集塵袋を搭載した集塵バスケットを、集塵室から容易に取り出すこと。【解決手段】集塵袋５と集塵袋５を保持する保持具６とを具備した集塵バスケット７を脱着自在に収納する集塵室と、集塵室上方の開口部を開閉する集塵室蓋４と、集塵室に設けられ、保持具６と嵌合して集塵バスケット７を集塵室に固定する集塵バスケット固定部と、集塵室蓋４に設けられ、集塵室蓋４を開けるときに保持具６の一部と係合すると共に、集塵バスケット固定部と当接して集塵バスケット７と集塵バスケット固定部との嵌合を解除する保持具係合部１０とを備える構成とした。これにより、集塵袋５を搭載した集塵バスケット７を、集塵室から回動して引き出すことができ、集塵袋５が引っ掛かることもなく、容易に集塵室から取り出すことができるようになる。【選択図】図１
2006191944.tif 000002
【特許請求の範囲】
【請求項１】
集塵袋と前記集塵袋を保持する保持具とを具備した集塵バスケットを、内部に脱着自在に収納する集塵室と、前記集塵室上方の開口部を覆う開閉自在な集塵室蓋と、前記集塵室に設けられ、前記保持具と嵌合して前記集塵バスケットを前記集塵室内に固定する集塵バスケット固定部と、前記集塵室蓋に設けられ、前記集塵室蓋の開成動作と連動して前記保持具の一部と係合すると共に、前記集塵バスケット固定部と当接して前記集塵バスケットと集塵バスケット固定部との嵌合を解除する保持具係合部とを備える構成とした電気掃除機。
【請求項２】
集塵バスケット固定部は、通常は集塵室の開口部上方に向けて附勢され、集塵室蓋と当接して前記集塵室蓋が集塵室の開口部を閉塞することを防止すると共に、集塵バスケットが前記集塵室に収納され、前記集塵バスケットを構成する保持具と嵌合して前記集塵バスケットを前記集塵室に固定したときは、集塵室の開口部上方に向けての附勢を解除され、前記集塵室蓋が前記集塵室の開口部を閉塞できる構成とした請求項１に記載の電気掃除機。
【発明の詳細な説明】
【技術分野】
【０００１】
本発明は集塵袋を容易に取り出せる電気掃除機に関するものである。
【背景技術】
【０００２】
従来のこの種の電気掃除機は図１１、１２のように、塵埃を収集する集塵袋とこの集塵袋を保持する集塵袋保持部品１０５を集塵室１０３に脱着自材に収納していた（例えば、特許文献１参照）。
【特許文献１】実開昭６１−７５７１２号公報
【発明の開示】
【発明が解決しようとする課題】
【０００３】
しかしながら、上記構成では、集塵袋取り出しの際、集塵袋保持部品１０５を引き上げなければならないが、収集した塵埃の質量が重いときには集塵袋を取り出すことが大変だった。また収集された塵埃が集塵袋から溢れて本体集塵口にまたがっていることがあり、集塵袋保持部品１０５の引き上げ時に、この塵埃が引っ掛かって抵抗となり、取り出し難いことがあった。
【０００４】
本発明は上記課題を解決するもので、集塵袋を容易に取り出すことのできる、使用性の高い電気掃除機を提供することを目的とするものである。
【課題を解決するための手段】
【０００５】
上記従来の課題を解決するために本発明は、集塵袋と前記集塵袋を保持する保持具とを具備した集塵バスケットを、内部に脱着自在に収納する集塵室と、前記集塵室上方の開口部を覆う開閉自在な集塵室蓋と、前記集塵室に設けられ、前記保持具と嵌合して前記集塵バスケットを前記集塵室内に固定する集塵バスケット固定部と、前記集塵室蓋に設けられ、前記集塵室蓋の開成動作と連動して前記保持具の一部と係合すると共に、前記集塵バスケット固定部と当接して前記集塵バスケットと集塵バスケット固定部との嵌合を解除する保持具係合部とを備える構成とした。これにより、集塵バスケットを集塵室から引き出す際に、集塵バスケットに保持された集塵袋等が、引っ掛かることもなく、容易に取り出すことができる。
【発明の効果】
【０００６】
本発明は、集塵袋等から構成される集塵バスケットを容易に取り出すことのできる、使い勝手の良い電気掃除機を提供することができる。
【発明を実施するための最良の形態】
【０００７】
第１の発明は、集塵袋と前記集塵袋を保持する保持具とを具備した集塵バスケットを、内部に脱着自在に収納する集塵室と、前記集塵室上方の開口部を覆う開閉自在な集塵室蓋と、前記集塵室に設けられ、前記保持具と嵌合して前記集塵バスケットを前記集塵室内に固定する集塵バスケット固定部と、前記集塵室蓋に設けられ、前記集塵室蓋の開成動作と連動して前記保持具の一部と係合すると共に、前記集塵バスケット固定部と当接して前記集塵バスケットと集塵バスケット固定部との嵌合を解除する保持具係合部とを備える構成とした。
【０００８】
これにより、集塵バスケットを取り出すとき、集塵室蓋を開けるだけで、保持具係合部が集塵バスケットを係合するとほぼ同時に、集塵バスケット固定部と集塵バスケットとの嵌合を解除でき、集塵バスケットを集塵室の下流側上方に向けて回動させながら引き出すことが可能になり、集塵バスケットに保持された集塵袋等が、引っ掛かることもなく、容易に取り出すことができるようになる。
【０００９】
第２の発明は、第１の発明の集塵バスケット固定部は、通常は集塵室の開口部上方に向けて附勢され、集塵室蓋と当接して前記集塵室蓋が集塵室の開口部を閉塞することを防止すると共に、集塵バスケットが前記集塵室に収納され、前記集塵バスケットを構成する保持具と嵌合して前記集塵バスケットを前記集塵室に固定したときは、集塵室の開口部上方に向けての附勢を解除され、前記集塵室蓋が前記集塵室の開口部を閉塞できる構成とした。
【００１０】
これにより、集塵バスケットが集塵室に収納されていない場合が集塵室蓋の状態により、外観から容易に判断でき、集塵袋をセットし忘れた状態で、電気掃除機を運転することが防止できる。
【００１１】
以下、本発明の実施の形態について、図面を参照しながら説明する。なお、この実施の形態により、本発明が限定されるものではない。
【００１２】
（実施の形態１）
本発明の第１の実施の形態について、図１〜６を用いて説明する。
【００１３】
図において、１は電気掃除機本体（以下、本体と称す）で、２は吸引した塵埃を集める本体１の集塵室で、３は塵埃を吸引する電動送風機を収納する電動送風機室で、４は集塵室２の上方開口部を覆う集塵室蓋である。前記集塵室２には吸引した塵埃を集める集塵袋５とこの集塵袋５を保持する保持具６を有する集塵バスケット７を脱着自在に設けている。保持具６は取っ手８を有し、その一部に突起部９を設けている。前記集塵室蓋４開放時にはこの保持具６の突起部９と係合する、略カギ状の保持具係合部１０を集塵室蓋４に設けている。前記本体１の集塵室２の開口部付近には軸受部１１と軸受部１１より下方にバネ座１２を設けている。
【００１４】
また軸受部１１に係合する回動軸１３を有し、前記バネ座１２に対向してバネ保持部１４を前記回動軸１３より上方且つ本体１前方に有する集塵バスケット固定部１５を設ける。この集塵バスケット固定部１５のバネ保持部１４と前記バネ座１２間にバネ１６を設けることで、集塵バスケット固定部１５は前記集塵室２に固定される。集塵バスケット７があるときは集塵バスケット固定部１５の上部１７が集塵バスケット７の上端を固定する。回動軸１８を有し、その軸を中心に非対称な形状を有する集塵バスケット固定解除部１９を、その重心側部分２０を下方にして前記回動軸１８近傍にばね２５を設けて、前記回動軸１８で前記集塵室蓋４に脱着自材に固定する。この集塵バスケット固定解除部１９の重心側部分２０の端部は、その端部が集塵室蓋４の回動軸２１を中心として描く円弧が前記集塵バスケット７保持時の前記集塵バスケット固定部１５に当接し、且つ前記保持具係合部１０が前記突起部９に当接するとほぼ同時に前記重心側部分２０の端部が前記集塵バスケット固定部１５に当接するように設けている。
【００１５】
また、前記回動軸１８は、その回動軸１８が集塵室蓋４の回動軸２１を中心として描く円弧が前記集塵バスケット固定部１５に当接しない位置に設ける。ところで集塵室蓋４の回動軸２１近傍に、集塵室蓋４全開時に鉛直方向に長いリブをストッパー２２として設け、このストッパー下部を支持する形状を本体１にストッパー支持部２３として設ける。また本体１の上部の一部に金属製の板バネ２４をビス２５で固定し、板バネ２４と干渉する、前記回動軸２１を中心として描く円弧上に、先端を有するリブを別の集塵室蓋４ストッパー２６として前記集塵室蓋４下方に設ける。
【００１６】
以上のように構成された電気掃除機において図１〜図６を用いて、その動作を説明する。
【００１７】
集塵バスケット７を集塵室２に収納、集塵バスケット７を集塵バスケット固定部１５に固定する際、その上部１７を一時的にやや外方に回動、再び内方に回動し集塵バスケット７の前部上方を固定する動きによって、集塵室蓋４のいずれのリブにも当接せず集塵室蓋４を閉塞することが出来、集塵バスケット７が無いときには上部１７を集塵室２内方に維持し、集塵室蓋４のリブを受けて集塵室蓋４を完全に閉塞しないことで集塵バスケット７がないことを使用者に知らしめる。
【００１８】
次に集塵バスケット７を集塵室２に収納後、集塵室蓋４を開けるとき、保持具係合部１０が保持具６突起部９と係合するとほぼ同時に、集塵バスケット固定解除部１９の端部が前記集塵バスケット固定部１５に当接し、その上部１７を集塵室２外方に回動し、集塵バスケット７の固定を解除、引き続き集塵室蓋４を開けることで、集塵バスケット７を集塵室２上方に移動、集塵室蓋４がストッパー２２、及び２６によって全開状態で保持、集塵バスケット７を容易に取り出すことができる。集塵バスケット７を集塵室２上方に移動する機能を持たない仕様においては、集塵バスケット固定解除部１９及び板バネ２４を外すことが出来、部品点数を減らすことが出来る。
【００１９】
（実施の形態２）
本発明の第２の実施の形態について図３、７、８を用いて説明する。なお、上記実施の形態１と同一部分については同一符号を付してその説明を省略する。
【００２０】
本実施の形態は、軸受部１１に係合する回動軸３１を有し、前記バネ座１２に対向してバネ保持部３２を前記回動軸３１より上方且つ本体１後方に有する集塵バスケット検知部品３３を設ける。この集塵バスケット検知部品３３のバネ保持部３２と前記バネ座１２間にバネ３５を設けることで、集塵バスケット検知部品３３は前記集塵室２に固定される。
【００２１】
この構成により、集塵バスケット７を集塵室２に収納、集塵バスケット７を集塵バスケット検知部品３３に固定する際、その上部３４を内方に回動する動きによって、集塵室蓋４のいずれのリブにも当接せず集塵室蓋４を閉塞することが出来、集塵バスケット７がないときには上部３４を集塵室２外方に回動し、集塵室蓋４のリブを受けて集塵室蓋４を完全に閉塞しないことで集塵部品７がないことを使用者に知らしめる。
【００２２】
（実施の形態３）
本発明の第３の実施の形態について図９を用いて説明する。なお、上記実施の形態１、２と同一部分については同一符号を付してその説明を省略する。
【００２３】
本実施の形態は、集塵室蓋４の回動軸２１近傍に、集塵室蓋４が約７０〜９０度開時に鉛直方向に長いリブをストッパー３１として設け、このストッパー下部を支持する形状を本体１にストッパー支持部２３として設ける。
【００２４】
この構成により、上方に移動する集塵部品７の塵埃量が多い場合、万が一外因で本体１に衝撃が加わっても集塵室蓋４は容易に閉塞動作に入り、集塵バスケット７を集塵室２に収納することから塵埃のこぼれを最小限に出来る。
【００２５】
（実施の形態４）
本発明の第４の実施の形態について図１０を用いて説明する。なお、上記実施の形態１〜３と同一部分については同一符号を付してその説明を省略する。
【００２６】
本実施の形態は、集塵室蓋４の回動軸２１近傍に、集塵室蓋４が約９０〜１３５度開時に鉛直方向に長いリブをストッパー３６として設け、このストッパー下部を支持する形状を本体１にストッパー支持部２３として設ける。
【００２７】
この構成により、集塵室蓋４を大きく開けることが出来、集塵バスケット７を容易に取り出すことが出来るとともに集塵袋５の吸気口を水平よりやや上方に向けることも可能なことから、万が一外因で本体１に衝撃が加わっても吸気口からの塵埃のこぼれを最小限に出来る。
【産業上の利用可能性】
【００２８】
以上のように、本発明にかかる電気掃除機は、集塵袋等を搭載した集塵バスケットを容易に取り出すことのできる、実用性でも極めて有用なものである。
【図面の簡単な説明】
【００２９】
【図１】本発明の実施の形態１、３、４を示す電気掃除機の略側面図
【図２】本発明の実施の形態１、３、４を示す電気掃除機の集塵室の略断面図
【図３】本発明の実施の形態１〜４を示す集塵バスケット固定部の略上方斜視図
【図４】本発明の実施の形態１、３、４を示す集塵バスケット固定部の略断面図
【図５】本発明の実施の形態１、３、４を示す集塵バスケット固定解除部の略上方斜視図
【図６】本発明の実施の形態１〜４を示す集塵室蓋ストッパー部の略上方斜視図
【図７】本発明の実施の形態２を示す集塵バスケット固定部の略断面図
【図８】本発明の実施の形態２を示す電気掃除機の略断面図
【図９】本発明の実施の形態３を示す電気掃除機の略側面図
【図１０】本発明の実施の形態４を示す電気掃除機の略側面図
【図１１】従来の集塵部品固定部の略上方斜視図
【図１２】従来の集塵袋保持部品の略後方斜視図
【符号の説明】
【００３０】
２  集塵室
４  集塵室蓋
５  集塵袋
６  保持具
７  集塵バスケット
１０  保持具係合部
１５  集塵バスケット固定部
１９  集塵バスケット固定解除部
２４  板バネ
３３  集塵バスケット検知部品
【図１】
2006191944.tif 000003
【図２】
2006191944.tif 000004
【図３】
2006191944.tif 000005
【図４】
2006191944.tif 000006
【図５】
2006191944.tif 000007
【図６】
2006191944.tif 000008
【図７】
2006191944.tif 000009
【図８】
2006191944.tif 000010
【図９】
2006191944.tif 000011
【図１０】
2006191944.tif 000012
【図１１】
2006191944.tif 000013
【図１２】
2006191944.tif 000014